(57)【要約】【課題】冷蔵庫を店先に置いて販売活動をする場合、外光が強いために温度等の表示が極めて見難くなる問題がある。また液晶パネルを使用する場合は、その背面にバックライトが必要であり、表示部の表示は斜め前方から視認し難い。本発明は液晶パネルを使用せず、ハーフミラーを使用したＬＥＤ点灯表示方式とすることによって、外光が強い場合にも表示が視認し易く、ＬＥＤ消灯時には冷蔵庫の正面から表示要素が視認されず鏡面を構成してデザイン効果を向上する。【解決手段】貯蔵室の開口を開閉する扉の表面側に制御部からの信号によって点灯して数字又は文字を表示するようにＬＥＤが配列された表示体を設け、この表示体の表側をＬＥＤが消灯しているときは外面が鏡面となりＬＥＤが点灯しているときは点灯したＬＥＤによる数字又は文字が表側に透過表示されるハーフミラー体で覆ったこと。【選択図】  図１
2004198058.tif 000002
【特許請求の範囲】
【請求項１】
貯蔵室の開口を開閉する扉の表面側に表示部を配置し、前記表示部は、制御部からの信号によって点灯して数字又は文字を表示するようにＬＥＤが配列された表示体を設け、この表示体の表側を前記ＬＥＤが消灯しているときは外面が鏡面となり前記ＬＥＤが点灯しているときは点灯したＬＥＤによる数字又は文字が表側に透過表示されるハーフミラー体で覆われたことを特徴とする貯蔵庫の表示装置。
【請求項２】
貯蔵室の開口を開閉する扉の表面側に温度の表示部を配置し、前記表示部は、制御部からの信号によって点灯して前記貯蔵室に対応する温度を数字表示するようにＬＥＤが配列された温度表示体を設け、この温度表示体の表側を前記ＬＥＤが消灯しているときは外面が鏡面となり前記ＬＥＤが点灯しているときは点灯したＬＥＤによる温度表示が表側に透過表示されるハーフミラー体で覆われたことを特徴とする貯蔵庫の表示装置。
【請求項３】
貯蔵室の開口を開閉する扉の表面側に表示部を配置し、前記表示部は、制御部からの信号によって点灯して数字又は文字を表示するようにＬＥＤが配列された表示体を設け、この表示体の表側を前記ＬＥＤが消灯しているときは外面が鏡面となり前記ＬＥＤが点灯しているときは点灯したＬＥＤによる数字又は文字が表側に透過表示されるハーフミラー体で覆われた構成であり、前記扉の表面側には、前記ハーフミラー体と一連の反射像を映し出すように前記ハーフミラー体の外方に鏡面部を設けたことを特徴とする貯蔵庫の表示装置。
【請求項４】
前記表示部のＬＥＤの点灯は、前記制御部のタイマ機能部により所定時間後に消えることを特徴とする請求項１乃至３のいずれかに記載の貯蔵庫の表示装置。
【発明の詳細な説明】
【０００１】
【発明の属する技術分野】
本発明は、貯蔵室の開口を開閉する扉の表面側に温度表示部を配置した貯蔵庫の表示装置に関する。
【０００２】
【従来の技術】
冷蔵室の扉の前面に操作パネルを設け、この操作パネルに冷蔵室用の温度表示部と温度設定スイッチを設けると共に、冷凍室用の温度表示部と温度設定スイッチを設け、通常は、庫内の温度を表示し、温度設定スイッチによって設定温度表示となる冷蔵庫がある（例えば、特許文献１参照）。この温度表示部は、８字形に配置した発光部によって温度数字が表示できるようになっていることが図から窺える。
【０００３】
表示面が鏡面となるハーフミラーと、その背面に配置される液晶により上方を表示する情報表示液晶パネルと、更にその背面に配置される光源とにより表示装置を構成し、温水洗浄便座や、浴室の追い炊きなどのリモートコントロール装置や、洗面台の鏡面の一部に、この表示装置を設けてリモコン用表示装置としたものがある（例えば、特許文献２参照）。
【０００４】
【特許文献１】
特開２０００‐２６６４５４号公報（第１〜５頁、図１〜２）
【特許文献２】
特開２００２‐２４７６７４号公報（第１〜４頁、図１〜７）
【０００５】
【発明が解決しようとする課題】
特許文献１の温度表示部は、発光部が発行しなくても８字形が正面から視認できる状態であり、デザイン的にも好ましくない。また、冷蔵庫の正面からの外光が強い場合は温度数字の視認がし難く、そのために、冷蔵庫を販売店の店先に置いて販売活動をする場合は、外光が強いためにこの温度表示部の表示が極めて見難くなる問題がある。また、特許文献２の表示装置は、液晶パネルを使用するため、その背面にはバックライトと称する光源が必要であること、そして、表示装置の表示は斜め前方から視認し難い問題がある。
【０００６】
本発明はこのような点に鑑み、液晶パネルを使用せず、ハーフミラーを使用したＬＥＤ点灯表示方式を採用することによって、外光が強い場合にも数字や文字の表示状態が視認し易く、且つＬＥＤが消灯しているときには冷蔵庫の正面から数字や文字の表示要素の配置が視認されないように鏡面を構成してデザイン効果を向上する装置を提供する。また、ハーフミラーの鏡面と一連の反射像が映し出されるように貯蔵庫の扉の表面に鏡面を形成して、貯蔵庫を使用する人がその鏡面に向かい合って鏡としても使用できる鏡効果と共に、貯蔵庫の扉表面のデザイン向上を図るものである。
【０００７】
【課題を解決するための手段】
本発明の貯蔵庫の表示装置は、貯蔵室の開口を開閉する扉の表面側に表示部を配置し、前記表示部は、制御部からの信号によって点灯して数字又は文字を表示するようにＬＥＤが配列された表示体を設け、この表示体の表側を前記ＬＥＤが消灯しているときは外面が鏡面となり前記ＬＥＤが点灯しているときは点灯したＬＥＤによる数字又は文字が表側に透過表示されるハーフミラー体で覆われたことを特徴とする。具体的には、前記表示部は、前記貯蔵室に対応する温度を数字表示するようにＬＥＤが配列された温度表示体を備え、この温度表示体の表側を前記ＬＥＤが消灯しているときは外面が鏡面となり前記ＬＥＤが点灯しているときは点灯したＬＥＤによる温度表示が表側に透過表示されるハーフミラー体で覆われた構成である。
【０００８】
これによって、ＬＥＤの点灯によって、それに対応した部分の文字や数字がハーフミラー体の表面から視認でき、ＬＥＤの消灯時にはこれらの文字や数字がハーフミラー体の前面側からは視認できず、ハーフミラー体の前面側の反射像が映し出される作用をする。このため、温度表示等の表示をしない状態では、鏡面となってデザイン効果が向上すると共に、この鏡面を貯蔵庫の前面に立った人が鏡として使用することもできる。そして、ＬＥＤの点灯状態ではその表示部の周囲は鏡面のままであるため、ＬＥＤの点灯状態が正面から明確に視認できる状態となり、貯蔵庫の正面からの外光が強い場合にも表示状態が視認し易く、そのため、貯蔵庫を販売店の店先に置いて販売活動をする場合にも良好な表示状態におくことができ、販売活動の向上が図れる。また、液晶パネルを使用しないため、背面にはバックライトと称する光源が不要となり、装置も安価に構成できる。更に、発光色の異なるＬＥＤを使用したり、又はＬＥＤの前面側に異なる色の透光シートを配置することによって、中間色の表示が可能となり、また複数の色を使い分けた表示が容易となり、表示の仕方に融通性がでる。
【０００９】
また、本発明の貯蔵庫の表示装置は、貯蔵室の開口を開閉する扉の表面側に表示部を配置し、前記表示部は、制御部からの信号によって点灯して数字又は文字を表示するようにＬＥＤが配列された表示体を設け、この表示体の表側を前記ＬＥＤが消灯しているときは外面が鏡面となり前記ＬＥＤが点灯しているときは点灯したＬＥＤによる数字又は文字が表側に透過表示されるハーフミラー体で覆われた構成であり、前記扉の表面側には、前記ハーフミラー体と一連の反射像を映し出すように前記ハーフミラー体の外方に鏡面部を設けたことを特徴とする。
【００１０】
このため、上記効果に加えて、ハーフミラー体の鏡面とハーフミラー体の周辺部の鏡面部との両方によって、貯蔵庫の扉のデザイン効果が向上すると共に、貯蔵庫を使用する人の鏡使用効果も向上する。
【００１１】
また、前記表示部のＬＥＤの点灯は、前記制御部のタイマ機能部により所定時間後に消えるため、温度等の表示を確認した後は、前記表示部を鏡として利用できると共に表面デザイン効果の向上にも寄与するものとなる。
【００１２】
【発明の実施の形態】
次に、本発明の貯蔵庫の表示装置について説明する。各図は本発明の実施形態を示しており、図１は本発明の貯蔵庫の一種である冷蔵庫の正面斜視図、図２は図１の表示部分の拡大図、図３は本発明の表示装置の構成を示す側面図、図４は℃の部分の説明図、図５は図２の冷蔵室温度表示部の説明図、図６は図２の冷凍室温度表示部の説明図である。
【００１３】
これらの図において、１は貯蔵庫の一つである冷蔵庫であり、前面開口の本体２内を区画して複数の貯蔵室を形成し、これら各貯蔵室の前面は扉で開閉できる構成である。冷蔵庫本体２は、外箱（外壁板）と内箱（内壁板）との間に発泡断熱材を充填した断熱構造である。冷蔵庫本体２内には、複数の貯蔵室として、上から冷蔵室３、野菜室４、上冷凍室５、下冷凍室６が区画して形成されている。
【００１４】
貯蔵室即ち冷蔵室３の前面開口は、冷蔵庫本体２の一側部にヒンジ装置１４にて横方向に回動して開閉されるように支持された回動式の冷蔵室扉１０にて閉塞される。野菜室４の前面開口は、野菜室４内に設けた左右のレールとローラを含む引き出し支持装置によって前後方向へ引き出し可能に支持した野菜容器と共に前方へ引き出される引き出し式扉１１にて閉塞されている。上冷凍室５と下冷凍室６はそれぞれ野菜室４と同様に、冷凍室内に設けた左右のレールとローラを含む引き出し支持装置によって、それぞれ前後方向へ引き出し可能に支持した容器と共に前方へ引き出される引き出し式扉１２、１３にて閉塞されている。
【００１５】
１５は冷蔵室扉１０の前面中央部に上下方向に配置した装飾パネル部であり、下部に冷蔵庫１のコントロールパネル部１６を配置し、その上部に装飾鏡部１７を配置している。装飾鏡部１７は、金属表面が鏡面仕上げされたものやガラスの裏側に鏡面層を形成して、冷蔵庫１の前面からの反射像を映し出す鏡構成であればよい。
【００１６】
コントロールパネル部１６は、上部に温度等の表示部１８を配置し、その下部には、冷蔵室３や冷凍室５、６に関係する温度や製氷機の運転状況や冷蔵庫１の節電状況やその他の制御状況を設定したり変更したりする操作部１９を配置している。操作部１９は、冷蔵室選択スイッチ２０、冷凍室選択スイッチ２１、確定スイッチ２２、温度変更ダイヤルスイッチ２３、及びファンクションスイッチ２４を備えている。
【００１７】
表示部１８は、貯蔵室である冷蔵室３の開口を開閉する扉１０の表面側に配置され、表示部１８は、制御部（図示せず）からの信号によって点灯して数字又は文字を表示するようにＬＥＤが配列された表示体２５を設け、この表示体２５の表側をＬＥＤが消灯しているときは外面が鏡面となりＬＥＤが点灯しているときは点灯したＬＥＤによる数字又は文字が表側に透過表示されるハーフミラー体２６で覆われた構成である。
【００１８】
上記構成の一つの形態では、図示の如く、表示部１８は、冷蔵室３の温度の表示部２７と、冷凍室５又は６の温度の表示部２８と、冷蔵庫１の内部の運転状況を示す機能表示部２９を備える。冷蔵室３の温度の表示部２７は、「冷蔵室温度」の文字表示部とその右側に温度を表示する数字表示部（図では３℃を示す部分）で構成している。また、冷凍室５又は６の温度の表示部２８は、「冷凍室温度」の文字表示部とその右側に温度を表示する数字表示部（図では−２０℃を示す部分）で構成している。更に、機能表示部２９は、「製氷中」、「製氷停止」、「節電」等の文字を表示するように構成している。
【００１９】
表示体２５はハーフミラー体２６の裏側に配置され、本体３１の表面側に黒色の不透明シート３０が配置され、このシート３０には冷蔵室温度、冷凍室温度、製氷中、製氷停止、節電、−（マイナス）、℃の文字がくり抜かれて形成され、図４に示すように、これらの１文字ごとに１個のＬＥＤ３２が対応するように本体３１に複数のＬＥＤ３２が配置された構成である。これによって、これらのＬＥＤ３２が制御部の信号によって点灯することによって、それに対応する文字が明示される構成である。
【００２０】
また、表示部２７、２８の数字表示は、図５及び図６に示すように、７個のセグメント３３が組み合わさって数字の８字型をなすようにシート３０がくり抜かれており、このセグメント３３ごとに１個のＬＥＤ３２が対応するように本体３１に複数のＬＥＤ３２が配置された構成である。図５は冷蔵室３の温度表示部２７であり、図６は冷凍室５、６の温度表示部２８であり、黒塗り部分がそれに対応するＬＥＤ３２が点灯した状態を示し、冷蔵室３の温度表示部２７は３℃を表示した状態であり、冷凍室５、６の温度表示部２８は−２０℃を表示した状態である。
【００２１】
ハーフミラー体２６は、平板状の透明なアクリル板等の透明樹脂板３４の表面側または裏面側の略全面に、アルミニウム蒸着層のようにハーフミラー膜３５を形成したものであり、裏側のＬＥＤ３２の点灯によって、それに対応した部分の文字や数字がハーフミラー体２６の表面から視認でき、ＬＥＤ３２の消灯時にはこれらの文字や数字がハーフミラー体２６の前面側からは視認できず、ハーフミラー体２６の前面側の反射像が映し出される鏡面を形成する構成である。
【００２２】
このような構成において、ＬＥＤ３２が消灯しているときは、ハーフミラー体２６の前面側からは文字や数字が視認できず、ハーフミラー体２６は反射像が映し出される鏡面を形成している。この状態において、操作部１９の冷蔵室選択スイッチ２０を１回押すことによって、制御部からの信号によって対応するＬＥＤ３２が点灯して、冷蔵室３の温度表示部２７に「冷蔵室温度」の文字とその右側に冷蔵室３の現在の温度数字と℃が表示される。この表示は、制御部のタイマ機能部により所定時間（例えば、数秒間乃至数十秒間）続き、その後は消える。
【００２３】
冷蔵室３の現在の温度が表示されているときに操作部１９の冷蔵室選択スイッチ２０をもう１回押すことによって冷蔵室３の設定温度表示状態となる。又は、ＬＥＤ３２が消灯していてハーフミラー体２６の前面側に冷蔵室３の現在の温度が表示されていないときに、操作部１９の冷蔵室選択スイッチ２０を連続して２回押すことによって冷蔵室３の設定温度表示状態となる。この設定温度表示状態では、制御部からの信号によって対応するＬＥＤ３２が点灯して、冷蔵室３の温度表示部２７に「冷蔵室温度」の文字とその右側に前回に設定した温度数字と℃が表示される。この状態で温度表示部２７の温度表示を見ながら温度変更ダイヤルスイッチ２３を右周りに回すことにより設定温度が高くなり、左周りに回すことにより設定温度が低くなる。設定したい温度において確定スイッチ２２を押すことにより、そのときの設定温度に設定される。この表示は、制御部のタイマ機能部により所定時間（例えば、数秒間乃至数十秒間）続き、その後は消える。
【００２４】
また、ＬＥＤ３２が消灯していてハーフミラー体２６の前面側からは文字や数字が視認できず、ハーフミラー体２６は反射像が映し出される鏡面を形成している状態において、操作部１９の冷凍室選択スイッチ２１を１回押すことによって、制御部からの信号によって対応するＬＥＤ３２が点灯して、冷凍室５又は６の温度表示部２８に「冷凍室温度」の文字とその右側に冷凍室５又は６の現在の温度数字と−（マイナス）と℃が表示される。この表示は、制御部のタイマ機能部により所定時間（例えば、数秒間乃至数十秒間）続き、その後は消える。
【００２５】
冷凍室５又は６の現在の温度が表示されているときに操作部１９の冷凍室選択スイッチ２１をもう１回押すことによって冷蔵室３の設定温度表示状態となる。又は、ＬＥＤ３２が消灯していてハーフミラー体２６の前面側に冷凍室５又は６の現在の温度が表示されていないときに、操作部１９の冷凍室選択スイッチ２１を連続して２回押すことによって冷凍室５又は６の設定温度表示状態となる。この設定温度表示状態では、制御部からの信号によって対応するＬＥＤ３２が点灯して、冷凍室５又は６の温度表示部２８に「冷凍室温度」の文字とその右側に前回に設定した温度数字と−（マイナス）と℃が表示される。この状態で温度表示部２８の温度表示を見ながら温度変更ダイヤルスイッチ２３を右周りに回すことにより設定温度が高くなり、左周りに回すことにより設定温度が低くなる。設定したい温度において確定スイッチ２２を押すことにより、そのときの設定温度に設定される。この表示は、制御部のタイマ機能部により所定時間（例えば、数秒間乃至数十秒間）続き、その後は消える。
【００２６】
機能表示部２９の「製氷中」、「製氷停止」、「節電」の文字は、ファンクションスイッチ２４を押すごとに「製氷中」、「製氷停止」、「節電」、表示ナシの状態に表示が切り換わり、その表示状態と同じ状態に冷蔵庫内の機能部分の動作状態を切り替えるように制御部を設定する。この表示も制御部のタイマ機能部により所定時間（例えば、数秒間乃至数十秒間）続き、その後は消える。
【００２７】
上記のように、ハーフミラー体２６の存在によって、ＬＥＤ３２の点灯によって、それに対応した部分の文字や数字がハーフミラー体２６の表面から視認でき、ＬＥＤ３２の消灯時にはこれらの文字や数字がハーフミラー体２６の前面側からは視認できず、ハーフミラー体２６の前面側の反射像が映し出される鏡作用をする。このため、温度表示等の表示をしない状態では、鏡面となってデザイン効果が向上すると共に、この鏡面を冷蔵庫の前面に立った人が鏡として使用することもできる。そして、ＬＥＤの点灯状態ではその表示部の周囲は鏡面のままであるため、ＬＥＤの点灯状態が正面から明確に視認できる状態となり、冷蔵庫の正面からの外光が強い場合にも表示状態が視認し易く、そのため、冷蔵庫を販売店の店先に置いて販売活動をする場合にも良好な表示状態にすることができ、販売活動の向上が図れる。また、液晶パネルを使用しないため、背面にはバックライトと称する光源が不要となり、装置も安価に構成できる。更に、発光色の異なるＬＥＤを使用したり、又はＬＥＤの前面側に異なる色の透光シートを配置することによって、中間色の表示が可能となり、また複数の色を使い分けた表示が容易となり、表示の仕方に融通性がでる。
【００２８】
また、扉１０の表面側には、ハーフミラー体２６と一連の反射像を映し出すようにハーフミラー体２６の外方に鏡面部１７を設けている。図では、冷蔵室扉１０の前面中央部に上下方向に配置した装飾パネル部１５を設け、この装飾パネル部１５には、表示部１８のハーフミラー体２６に連続して又はハーフミラー体２６近傍からハーフミラー体２６の上方に向けて長く延びた装飾鏡面部１７を形成している。装飾鏡面部１７はハーフミラー体２６と略同一平面の鏡面を形成することにより、ハーフミラー体２６と共同して一連の反射像を映し出すことができる構成である。これによって、冷蔵庫１の正面に立った人が、その顔や容姿の一部を映し出すことができる鏡として利用できると共に、冷蔵庫１の正面のデザイン性が向上することとなる。
【００２９】
上記実施形態のコントロールパネル部１６の配置構成、スイッチ構成は、冷蔵庫の表示や制御の仕方によって種々の構成を採用することができるため、上記に限定されない。そして、本発明の表示装置は、冷蔵庫の他に、冷凍庫、温蔵庫、恒温庫等種々の貯蔵庫に適用できるものである。したがって、本発明は、本発明の技術的範囲を逸脱しない限り種々の変更が考えられ、それに係る種々の実施形態を包含するものである。
【００３０】
【発明の効果】
本発明は、ＬＥＤの点灯によって、それに対応した部分の文字や数字がハーフミラー体の表面から視認でき、ＬＥＤの消灯時にはこれらの文字や数字がハーフミラー体の前面側からは視認できず、ハーフミラー体の前面側の反射像が映し出される作用をする。このため、温度表示等の表示をしない状態では、鏡面となってデザイン効果が向上すると共に、この鏡面を貯蔵庫の前面に立った人が鏡として使用することもできる。そして、ＬＥＤの点灯状態ではその表示部の周囲は鏡面のままであるため、ＬＥＤの点灯状態が正面から明確に視認できる状態となり、冷蔵庫の正面からの外光が強い場合にも表示状態が視認し易く、そのため、冷蔵庫を販売店の店先に置いて販売活動をする場合にも良好な表示状態におくことができ、販売活動の向上が図れる。また、液晶パネルを使用しないため、背面にはバックライトと称する光源が不要となり、装置も安価に構成できる。
【００３１】
なお、発光色の異なるＬＥＤを使用したり、又はＬＥＤの前面側に異なる色の透光シートを配置することによって、中間色の表示が可能となり、また複数の色を使い分けた表示が容易となり、表示の仕方に融通性がでる。
【００３２】
また、上記効果に加えて、ハーフミラー体の鏡面とハーフミラー体の周辺部の鏡面部との両方によって、貯蔵庫の扉のデザイン効果が向上すると共に、貯蔵庫を使用する人の鏡使用効果も向上する
【００３３】
また、前記表示部のＬＥＤの点灯は、前記制御部のタイマ機能部により所定時間後に消えるため、温度等の表示を確認した後は、前記表示部を鏡として利用できると共に表面デザイン効果の向上にも寄与するものとなる。
【図面の簡単な説明】
【図１】本発明の貯蔵庫の一種である冷蔵庫の正面斜視図である。
【図２】図１の表示部分の拡大図である。
【図３】本発明の表示装置の構成を示す側面図である。
【図４】℃の部分の説明図である。
【図５】図２の冷蔵室温度表示部の説明図である。
【図６】図２の冷凍室温度表示部の説明図である。
【符号の説明】
１・・・貯蔵庫（冷蔵庫）
２・・・貯蔵庫本体（冷蔵庫本体）
３・・・貯蔵室（冷蔵室）
１０・・・冷蔵室扉
１５・・・装飾パネル部
１６・・・コントロールパネル部
１７・・・装飾鏡面部
１８・・・表示部
１９・・・操作部
２５・・・ＬＥＤ表示体
２６・・・ハーフミラー体
３０・・・不透明シート
３２・・・ＬＥＤ
【図１】
2004198058.tif 000003
【図２】
2004198058.tif 000004
【図３】
2004198058.tif 000005
【図４】
2004198058.tif 000006
【図５】
2004198058.tif 000007
【図６】
2004198058.tif 000008